【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
第１のエンティティから第２のエンティティへの通信結合を介してデータを送信するコンピュータ化された方法であって、
前記第１のエンティティから第２のエンティティへ小さなメッセージ及びより大きなメッセージのペアからなる小さなメッセージを送信するステップと、
前記第１のエンティティから第２のエンティティへ前記ペアのうちの前記より大きなメッセージを送信するステップと、
前記第２のエンティティが前記小さなメッセージ及び前記より大きなメッセージを受信するそれぞれの時に基づいて通信結合の帯域幅を決定するステップであって、前記大きなメッセージの受信時間から前記小さなメッセージの受信時間を差し引き且つ該減算の結果によって前記大きなメッセージのサイズを分割することにより前記帯域幅を計算するステップを含む、決定するステップと、
前記決定された帯域幅に基づいて後続のデータの圧縮フォーマットを選択するステップと、
前記第１のエンティティから第２のエンティティへ前記選択された圧縮フォーマットを使用して前記後続のデータを送信するステップと
を含む方法。
【請求項２】
前記第１のエンティティはターミナル・サービス（ＴＳ）クライアント装置であり、前記第２のエンティティはターミナル・サービス（ＴＳ）サーバー装置であり、前記ＴＳクライアント装置は、遠隔相互作用プロトコルを使用して、前記ＴＳサーバー装置上で実行されるアプリケーションと相互作用する請求項１に記載のコンピュータ化された方法。
【請求項３】
前記後続のデータは、前記ＴＳサーバー装置による記録のために、前記ＴＳクライアント装置から前記ＴＳサーバー装置へ送信される請求項２に記載のコンピュータ化された方法。
【請求項４】
前記第２のエンティティはターミナル・サービス（ＴＳ）クライアント装置であり、前記第１のエンティティはターミナル・サービス（ＴＳ）サーバー装置であり、前記ＴＳクライアント装置は、遠隔相互作用プロトコルを使用して、前記ＴＳサーバー装置上で実行されるアプリケーションと相互作用する請求項１に記載のコンピュータ化された方法。
【請求項５】
前記後続のデータは、前記ＴＳクライアント装置における再生のために前記ＴＳサーバー装置から前記ＴＳクライアント装置へ送信される請求項４に記載のコンピュータ化された方法。
【請求項６】
前記第１のエンティティから前記第２のエンティティへ送信される前記後続のデータは音声データである請求項１に記載のコンピュータ化された方法。
【請求項７】
前記第１のエンティティから前記第２のエンティティへ送信される前記後続のデータはビデオデータである請求項１に記載のコンピュータ化された方法。
【請求項８】
前記第１のエンティティと前記第２のエンティティとの間のメッセージの送信に関与する待ち時間を占めるように短いメッセージが送信される請求項１に記載のコンピュータ化された方法。
【請求項９】
前記帯域幅は、前記待ち時間の影響について修正されるように、サイズＳを有する前記より大きなメッセージを送信するのに要する時間の量に基づいて決定される請求項８に記載のコンピュータ化された方法。
【請求項１０】
前記小さなメッセージを送信するステップ、前記より大きなメッセージを送信するステップ、帯域幅を決定するステップ、及び、前記第１のエンティティから前記第２のエンティティへのデータの送信の間、圧縮フォーマットを複数回数選択するステップを繰り返すステップをさらに含む請求項１に記載のコンピュータ化された方法。
【請求項１１】
１つの利用可能な圧縮フォーマットは、比較的高品質及び比較的低度の圧縮を有する請求項１に記載のコンピュータ化された方法。
【請求項１２】
１つの利用可能な圧縮フォーマットは、比較的低品質及び比較的高度の圧縮を有する請求項１に記載のコンピュータ化された方法。
【請求項１３】
請求項１に記載のコンピュータ化された方法を実行するための機械可読命令を含む１つ以上の機械可読媒体。
【請求項１４】
１つ以上のプロセッサと、
前記１つ以上のプロセッサによって実行されると請求項１に記載のコンピュータ化された方法を実行するコンピュータ実行可能命令を格納するメモリーと
を具備する１つ以上の計算装置。
【請求項１５】
ターミナル・サービス（ＴＳ）クライアント装置とターミナル・サービス（ＴＳ）サーバー装置との間で通信結合を介してデータを送信するコンピュータ化された方法において、前記ＴＳクライアント装置は、遠隔相互作用プロトコルを使用して、前記ＴＳサーバー装置上で実行されるアプリケーションと相互作用し、前記方法は、
前記ＴＳクライアント装置から前記ＴＳサーバー装置へ、又は、前記ＴＳサーバー装置から前記ＴＳクライアント装置へ、小さなメッセージ及びより大きなメッセージのペアに属する無視できるサイズの小さなメッセージを送信するステップと、
前記ＴＳクライアント装置から前記ＴＳサーバー装置へ、又は、前記ＴＳサーバー装置から前記ＴＳクライアント装置へ、前記ペアに属するサイズＳの前記より大きなメッセージを送信するステップと、
前記ＴＳクライアント装置又は前記ＴＳサーバー装置が前記小さなメッセージ及び前記より大きなメッセージを受信するそれぞれの時に基づいて前記通信結合の帯域幅を決定するステップであって、前記大きなメッセージの受信時間から前記小さなメッセージの受信時間を差し引き且つ該減算の結果によって前記大きなメッセージのサイズを分割することにより前記帯域幅を計算するステップを含む、決定するステップと、
前記決定された帯域幅に基づいて後続のデータの圧縮フォーマットを選択するステップであって、比較的低品質の圧縮フォーマットが利用可能性の比較的低い帯域幅について選択され、比較的高品質の圧縮フォーマットが利用可能性の比較的高い帯域幅について選択される、選択するステップと、
前記選択された圧縮フォーマットを使用して前記ＴＳクライアント装置と前記ＴＳサーバー装置との間で前記後続のデータを送信するステップと
を含む方法。
【請求項１６】
前記ＴＳクライアント装置と前記ＴＳサーバー装置との間で送信される前記後続のデータは音声データ又はビデオデータである請求項１５に記載のコンピュータ化された方法。
【請求項１７】
請求項１５に記載のコンピュータ化された方法を実行するための機械可読命令を含む１つ以上の機械可読媒体。
【請求項１８】
１つ以上のプロセッサと、
前記１つ以上のプロセッサによって実行されると請求項１５に記載のコンピュータ化された方法を実行するコンピュータ実行可能命令を格納するメモリーと
を具備する１つ以上の計算装置。
【請求項１９】
プロセッサと、
前記プロセッサによって動作され、第１のエンティティから第２のエンティティへのデータの送信のための圧縮フォーマットを決定される帯域幅に基いて選択するように構成されたフォーマット処理モジュールと
を具備し、前記第１のエンティティ及び前記第２のエンティティは通信結合によってともに結合され、前記フォーマット処理モジュールは、
前記第２のエンティティが小さなメッセージ及びより大きなメッセージのペアに属する小さなメッセージ及びより大きなメッセージを受信するそれぞれの時に基づいて前記決定される帯域幅を決定するように構成された帯域幅決定モジュールであって、前記決定は、前記大きなメッセージの受信時間から前記小さなメッセージの受信時間を差し引き且つ該減算の結果によって前記大きなメッセージのサイズを分割することにより前記帯域幅を計算することを含む、帯域幅決定モジュールと、
複数の異なる圧縮フォーマットに関する情報を格納するフォーマット記憶部と、
前記決定された帯域幅に基づいて前記フォーマット記憶部において識別される圧縮フォーマットを選択するように構成されたフォーマット選択モジュールと
を含み、データは、前記選択された圧縮フォーマットを使用して、前記通信結合を介して前記第１のエンティティから前記第２のエンティティへ送信される、システム。
【請求項２０】
前記第１のエンティティはターミナル・サービス（ＴＳ）クライアント装置であり且つ前記第２のエンティティはターミナル・サービス（ＴＳ）サーバー装置であり、又は、前記第１のエンティティはＴＳサーバー装置であり且つ前記第２のエンティティはＴＳクライアント装置であり、前記ＴＳクライアント装置は、遠隔相互作用プロトコルを使用して、前記ＴＳサーバー装置上で実行されるアプリケーションと相互作用する、請求項１９に記載のシステム。